(57)【要約】本発明は、内側キャップ（１０）と外側キャップ（２０）とを含む容器のための閉鎖キャップであって、前記内側キャップ（１０）はその上面（１３）に保留手段（１４、１５）と、破断可能保持手段（１６）と、ストローク終了手段（１７）とを備え、前記外側キャップ（２０）はその下面（２１）にリリーフ・アーム（２２）を備え、リリーフ・アーム（２２）はリリーフ切断手段（２３）と保留手段（２４）とを備える、閉鎖キャップに関する。
2004522653.tif 000002
【特許請求の範囲】
【請求項１】
内側キャップ（１０）と外側キャップ（２０）とを含む容器のための閉鎖キャップであって、前記内側キャップ（１０）はその上面（１３）に保留手段（１４、１５）と、破断可能保持手段（１６）と、ストローク終了手段（１７）とを備え、前記外側キャップ（２０）はその下面（２１）にリリーフ・アーム（２２）を備え、リリーフ・アーム（２２）はリリーフ切断手段（２３）と保留手段（２４）とを備える、容器用閉鎖キャップ。
【請求項２】
前記保留手段（１４、１５）が、上面（１３）に直角な面（３１）と、上面（１３）と共に８０°以下の角度を形成する面（３２）とを有する凸状歯によって示されることを特徴とする請求項１に記載の容器用閉鎖キャップ。
【請求項３】
前記破断可能保持手段（１６）が、上面（１３）によって示され、内部キャップ（１０）の上面（１３）を通って作られた孔を閉鎖する平面から突出する成形されたプラスチック・エレメントによって示されることを特徴とする請求項１に記載の容器用閉鎖キャップ。
【請求項４】
前記ストローク終了手段（１７）が、第１アーム（１７ａ）と第２アーム（１７ｂ）とを含む半円形障壁によって示されることを特徴とする請求項１に記載の容器用閉鎖キャップ。
【請求項５】
前記第１アーム（１７ａ）と前記第２アーム（１７ｂ）が共に連結され、互いの間に３０°〜１００°の範囲内にある角度を形成することを特徴とする請求項４に記載の容器用閉鎖キャップ。
【請求項６】
前記リリーフ切断手段（２３）が半円形のリリーフ・ブレード（２３）によって示されることを特徴とする請求項１に記載の容器用閉鎖キャップ。
【請求項７】
前記保留手段（２４）が、下面（２１）に直角な面（３１）と下面（２１）と共に８０°以下の角度を形成する面（３２）とを有する凸状歯によって示されることを特徴とする請求項１に記載の容器用閉鎖キャップ。
【請求項８】
前記内側キャップ（１０）が、その側壁（１１）の内部に、前記内側キャップ１０を容器首状部に保持するための保持手段（１２）を包含することを特徴とする請求項１に記載の容器用閉鎖キャップ。
【請求項９】
前記保持手段（１２）がねじ山（１２ａ、１２ｂ）によって示されていることを特徴とする請求項８に記載の容器用閉鎖キャップ。
【請求項１０】
前記内側キャップ（１０）と前記外側キャップ（２０）が、保持手段（１８、２６、４０、４３、４４、４５）によって共に保持されることを特徴とする請求項１に記載の容器用閉鎖キャップ。
【請求項１１】
前記内側キャップ（１０）と前記外側キャップ（２０）が、滑動手段（１９、２５）を備えていることを特徴とする請求項１に記載の容器用閉鎖キャップ。
【発明の詳細な説明】
【技術分野】
【０００１】
本発明は、容器を閉鎖するための改善されたキャップに関し、特にボトル、フラスコ、ジャー、デミジョン、タンクなどを閉鎖するためのキャップに関する。
【背景技術】
【０００２】
容器（容器とは、流動性物質を入れることを目的とし、流動性物質が通って流れ出ることができる首状部を有する、たとえばボトル、フラスコ、ジャー、デミジョン、タンクなどのあらゆる入れ物を意味する）の閉鎖は通常、キャップによって行われる。容器およびキャップは通常、たとえばポリプロピレンおよびポリエチレンなどのプラスチックによって製造される。容器首状部の端部は通常、ねじ付きキャップとの結合を可能にするために、ねじが切られている。不意の開放または容器内容物の不正取扱いを回避するために、ねじ付きキャップは通常、破断可能なプラスチック歯状物によってキャップに連結された不正操作防止リングを備えている。不正操作防止リングは、容器首状部の上の適切な位置に作られた稜によって保持されている。キャップを外すときは、この破断可能プラスチック歯状物は破断されるので、容器はすでに開放されたという明らかな指示が消費者に与えられる。この解決策が開放用の道具（容器オープナーまたはコルク抜き）を必要としないという利点を提供する場合でも、これはまだいくつかの欠点や不利益を有する。
【０００３】
まず、破断可能プラスチック歯状物を破断するという必要性は、消費者によるある程度の力を必要とし、このような力は、炭酸飲料が入っている容器の場合には、キャップに対して作用するガス圧によって増加し、このガス圧はキャップの回転および開放をますます困難にする。
【０００４】
これに加えて、キャップと容器の製造は見積もりの注意深い調査を必要とし、かなり高価な製造装置を要し、キャップが容器の樹脂と異なる樹脂で作られるときは、リサイクルできるようにする前にリングを容器から切り離さなければならないので、これはリサイクルの問題を引き起こす。さらにまた、このようなキャップをその不正操作防止リングから分離させることなく取り外すことは時には可能である。
【０００５】
さらに、汚い粒子、残渣、およびある種の塵が、キャップと不正操作防止リングとの間の破断可能プラスチック歯状物によって形成された小さな空間に蓄積する可能性があり、これは、容器の内容物が汚染する危険性を増加させる。
【０００６】
最後に、これも重要であるが、実際の経験によって、このシステムは時には完全に安全ではなく、特に普通の水またはその他の非炭酸飲料を入れた容器に関しては、キャップおよび不正操作防止リングの両方を、破断可能プラスチック歯状物を破ることなく共に取り外すことができることを示した。
【発明の開示】
【発明が解決しようとする課題】
【０００７】
本発明の目的は、容器を閉鎖するための改善されたキャップであって、特にボトル、フラスコ、ジャー、デミジョン、タンクなどを閉鎖するためのキャップを提供することである。
【課題を解決するための手段】
【０００８】
したがって、本発明は、内側キャップ（１０）と外側キャップ（２０）とを含む容器のための閉鎖キャップであって、前記内側キャップ（１０）はその上面（１３）に保留手段（１４、１５）と、破断可能保持手段（１６）と、ストローク終了手段（１７）とを備え、前記外側キャップ（２０）はその下面（２１）にリリーフ・アーム（２２）を備え、リリーフ・アーム（２２）はリリーフ切断手段（２３）と保留手段（２４）とを備える、閉鎖キャップに関する。
【発明を実施するための最良の形態】
【０００９】
図１から６までを参照すると、本発明の閉鎖キャップは内側キャップ１０と外側キャップ２０とを含む。
【００１０】
図３を参照すると、内側キャップ１０は、その側壁の内側に、容器自体を閉鎖するための容器首状部に前記内側キャップ１０を保持するための保持手段１２を含む。本発明の好ましい一態様によれば、前記保持手段１２は特有のねじ山（１２ａ、１２ｂ）で示されている。当業者は、たとえば差込み継手などの他種の保持手段も準備することができる。
【００１１】
内側キャップ１０は、その上面１３の上に保留手段１４、１５と、破断可能保持手段１６と、ストローク終了手段１７とを含む。本発明の好ましい一実施形態によれば、保留手段１４、１５は、上面１３に直角な面３１と、上面１３と共に８０°以下の、好ましくは４５°以下の角度を形成する面３２とを有する凸状歯からなる。本発明の好ましい一実施形態によれば、破断可能保持手段１６は、上面１３によって示され、内部キャップ１０の上面１３を通って作られた孔を閉鎖する平面から突出する成形されたプラスチック・エレメントとして構成されている。破断可能保持手段１６は、使用者が容易に識別できるように着色されていることが好ましい。本発明の好ましい一実施形態によれば、ストローク終了手段１７は、共に連結されて、互いの間で好ましくは３０°〜１００°の範囲にある角度を形成するアーム１７ａおよびアーム１７ｂを含む半円形の障壁として構成されている。
【００１２】
図４を参照すると、外側キャップ２０は、その下面２１に、リリーフ切断手段２３と保留手段２４とを含むリリーフ・アーム２２を備えている。切断手段は半円形のリリーフ・ブレード２３によって示されることが好ましい。保留手段２４は、内側キャップ１０の保留手段１４、１５と同様なものである。リリーフ・アーム２２は、保持手段１６を取り外すことによって形成される孔の形状と寸法に対応する形状と寸法を有する突出部を包含できることが好ましい。外側キャップ２０は、使用者が握りやすくなるようなさまざまな外形を有することができる。図１、２には八角形の形状が示され、図３〜６には円形の形状が示されている。たとえば六角形の形状など、当業者は他の形状を準備することもでき、さらにまた、使用者による握りを改善するために刻み付きの表面を準備することもできる。外側キャップ２０は、内部キャップ１０を見ることができるように透明な材料で作られることが好ましい。
【００１３】
外側キャップ２０および／または内側キャップ１０は、外側キャップ２０を内側キャップ１０の上に組み立てて保持することができるための保持手段を備えている。
【００１４】
図４を参照すると、保持手段は、外側キャップ２０の内側端円形部分全体の上に作られた内側突出部４０によって示され、内側キャップ１０を外側キャップ２０の中に挿入した後に内側キャップ１０を保持できることが好ましい。図４を再び参照すると、代わりにまたは同時に保持手段を、内側キャップ１０の上に作られた突出部４３によって示すことができ、突出部は、キャップの組立中に、外側キャップ２０の内部に作られた垂直溝４４の中をまず走行し、次に内側キャップ１０上における外側キャップ２０の回転中に、垂直溝４４と共にＬ形を形成する水平溝４５の中を走行する。
【００１５】
図５を参照すると、代わりに保持手段は、内側キャップ１０の外壁の中間において全周辺にわたって作られた溝１８と、外側キャップ２０の内壁の中間において全周辺にわたって作られた対応する溝２６とによって示されている。
【００１６】
内側キャップ上における外側キャップの回転中の円滑性をより良くするために、滑動手段を、内側キャップ１０の上面１３と外側キャップ２０の下面２１との上に作ることができるのは好ましい。
【００１７】
図５を参照すると、このような滑動手段を、内側キャップ１０の上面１３の上に作られた円形溝１９と結合する外側キャップ２０の下面２１の上に作られた円形突出部２５によって示すことは好ましい。
【００１８】
図６を参照して、本発明の一実施形態による閉鎖キャップの作業動作を以下に説明する。
【００１９】
図６ａに、包装ラインの端部に置かれたキャップの開始位置を示す。半円形のリリーフ・ブレード２３と保留手段２４とを包含するリリーフ・アーム２２は、保留手段１４によって、また破断可能保持手段１６によって保持されている。
【００２０】
図６．ｂに、外側キャップ２０の（時計回り方向の）回転の開始後におけるキャップの中間位置を示す。半円形のリリーフ・ブレードは破断可能保持手段１６を切断し、したがって孔４１を開放し、この孔から容器の中に存在する過剰の炭酸は放出可能となる。孔４１の開放とこれに続く容器中に含まれる過剰炭酸の放出とは、容器内部の圧力を低下させ、こうしてさらにキャップの回転と開放に要する力を減少させる。
【００２１】
図６ｃに、開放操作が終わったときのキャップの終了位置を示す。半円形のブレード２３はストローク終了手段１７に達しており、こうして形成された空洞４２の内部に破断可能保持手段１６をとらえる。リリーフ・アーム２２の保留手段２４は保留手段１５を踏み越えており、外側キャップ２０がさらに回転することを防止する。したがって、外側キャップ２０は内側キャップ１０と接合することになる。リリーフ・アーム２２の背部は孔４１を覆っており、容器内に含まれる液体の不意の流出を完全に防止する。孔４１に対応するリリーフ・アーム２２上の突出部の存在は、本発明のキャップの保持をさらに改善する。
【００２２】
好ましい実施形態を参照して本発明を詳細に説明したが、当業者によって実現される明白な変更も、特許請求の範囲に述べるように本発明の精神と範囲の中に包含されるものとする。
【図面の簡単な説明】
【００２３】
【図１】本発明の第１実施形態による閉鎖キャップの平面図である。
【図２】本発明の第１実施形態による閉鎖キャップの平面図である。
【図３】本発明の第２実施形態による内側キャップの上部平面図（Ａ）、下部平面図（Ｃ）、および断面図（Ｂ）である。
【図４】本発明の第２実施形態による外側キャップの上部平面図（Ａ）、下部平面図（Ｃ）、および断面図（Ｂ）である。
【図５】本発明の第３実施形態による閉鎖キャップの断面図である。
【図６】開放の初期段階（Ａ）、中間段階（Ｂ）、および最終段階（Ｃ）における、本発明による閉鎖キャップの上面図である。
【図７】本発明の閉鎖キャップの内側キャップ１０と外側キャップ２０との斜視図である。
【国際公開パンフレット】
2004522653.tif 000003
2004522653.tif 000004
2004522653.tif 000005
2004522653.tif 000006
2004522653.tif 000007
2004522653.tif 000008
2004522653.tif 000009
2004522653.tif 000010
2004522653.tif 000011
2004522653.tif 000012
2004522653.tif 000013
2004522653.tif 000014
2004522653.tif 000015
2004522653.tif 000016
2004522653.tif 000017
2004522653.tif 000018
【国際公開パンフレット（コレクトバージョン）】
2004522653.tif 000019
2004522653.tif 000020
【国際調査報告】
2004522653.tif 000021
2004522653.tif 000022